(57)【要約】【課題】印刷物の取り扱い判断を印刷依頼者に喚起させるため、印刷依頼した印刷データが承認を必要とした印刷データであるか否かを印刷依頼者が認識にする。【解決手段】承認部１３０の承認要求部１３２は、入力された第１画像データの画像についての印刷許可の承認を求める承認要求電子メールを、ネットワーク２０を介して承認者端末としてのＰＣ２２に送信する。その後、承認可否判定部１３３は、承認要求部１３２がＰＣ２２に送信した承認要求電子メール対するＰＣ２２からの返信電子メールに基づき、印刷を許可するか否かを判定する。承認可否判定部１３３により第１画像データの画像の印刷を許可するものと判定された場合には、画像処理部１４０の画像合成部１４１は、第１画像データ記憶部１２１に記憶されている第１画像データの画像と、第２画像データ記憶部１２２に記憶されている承認画像とを合成する。【選択図】  図２
2009033319.tif 000002
【特許請求の範囲】
【請求項１】
ネットワークに接続され、入力画像に基づいて画像を形成する画像形成装置において、
前記入力画像を記憶する第１の記憶部と、
形成する画像が承認されたものであることを示すための承認画像を記憶する第２の記憶部と、
前記ネットワークを介して前記第１の記憶部に記憶された前記入力画像に対する承認を要求する承認要求部と、
前記承認要求部の前記要求に対する応答に基づいて、前記入力画像が承認されたか否かを判定する判定部と、
前記入力画像に基づいて画像を形成する画像形成部とを備え、
前記画像形成部は、前記判定部により前記入力画像が承認されたと判定されたとき、前記第１の記憶部に記憶された前記入力画像と前記第２の記憶部に記憶された前記承認画像とを合成した画像を生成することを特徴とする画像形成装置。
【請求項２】
前記承認画像は、印影画像及び署名画像のうちのいずれかであることを特徴とする請求項１に記載の画像形成装置。
【請求項３】
前記承認要求部による承認要求は、電子メール形式で行われることを特徴とする請求項１又は２記載の画像形成装置。
【請求項４】
前記承認要求部に対する応答は、返信メール形式で行われることを特徴とする請求項３記載の画像形成装置。
【請求項５】
前記入力画像を縮小した縮小画像を生成する縮小画像生成部を更に備え、
前記承認要求部は、前記縮小画像生成部により生成された前記縮小画像を、前記電子メールに添付することを特徴とする請求項３記載の画像形成装置。
【請求項６】
前記第２の記憶部は、前記承認画像を複数記憶しており、
前記返信メールは、前記第２の記憶部に記憶された承認画像を選択するための選択情報を含み、
前記画像形成部は、前記第１の記憶部に記憶された前記入力画像と、前記選択情報に基づいて選択された承認画像とを合成した画像を形成することを特徴とする請求項４又は５に記載の画像形成装置。
【請求項７】
前記返信メールは、承認画像を含み、
前記返信メールに含まれた前記承認画像を抽出し、前記第２の記憶部に書き込む書込み部を更に備える請求項４乃至６のいずれかに記載の画像形成装置。
【請求項８】
特殊画像を形成するための基本特殊画像を記憶する基本特殊画像記憶部と、
前記基本特殊画像記憶部に記憶されている前記基本特殊画像に基づき、前記特殊画像を形成する特殊画像生成部と
を更に備え、
前記画像合成部は、前記入力画像の印刷を許可するものと前記判定部により判定された場合には、該入力画像と、前記第２の記憶部に記憶されている承認画像とを合成した合成画像を生成し、更に、該生成した前記合成画像に前記特殊画像生成部により生成された前記特殊画像を更に合成することを特徴とする１乃至７のいずれかに記載の画像形成装置。
【請求項９】
前記特殊画像は、該特殊画像が印刷された印刷物が複写されたとき、複写されない画像であることを特徴とする請求項８に記載の画像形成装置。
【請求項１０】
前記特殊画像は、該特殊画像が印刷された他の画像を消去しないように印刷物の下地に印刷される画像であることを特徴とする請求項８に記載の画像形成装置。
【発明の詳細な説明】
【技術分野】
【０００１】
本発明は、ネットワークに接続され、入力された入力画像を形成する画像形成装置に関する。
【背景技術】
【０００２】
印刷を制限する画像形成装置として、例えば、印刷データを上位装置から受信したのち又は読取部から読み取ったのち、この印刷データの印刷許可の承認を得るための電子メールを作成し、この電子メールを承認者端末（印刷許可の承認を行う権限を有する承認者が使用する端末）に送信し、その後、承認者から印刷を承認する旨の返信メールを受信すると、印刷データを印刷する画像形成装置があった（例えば、特許文献１参照）。
【特許文献１】特開２００５−２０２６６９号公報
【発明の開示】
【発明が解決しようとする課題】
【０００３】
しかしながら、上述した従来の画像形成装置は、承認者から印刷を承認する旨の返信メールを受信したときに、印刷データを印刷するようになっているのみで、印刷された印刷データが印刷依頼者にとって、承認を必要とした印刷データであるか否かを認識することができず、印刷依頼者にとって、印刷データが印刷された印刷物の取り扱いをどのようにしてよいか判らないという問題点があった。例えば、承認を必要とする印刷データが印刷された印刷物は、一般的に、重要な情報が記載され、第三者に開示させたくないものであるので、印刷依頼者は、この印刷物の取り扱いを第三者に開示しないように注意して取り扱わなければならない。
【０００４】
そこで、本発明は、上述した問題点に鑑み、印刷物の取り扱い判断を印刷依頼者に喚起させるため、印刷依頼した印刷データが承認を必要とした印刷データであるか否かを印刷依頼者が認識可能な画像形成装置を提供することを目的とする。
【課題を解決するための手段】
【０００５】
上記課題を解決するため、請求項１記載の発明は、ネットワークに接続され、入力画像に基づいて画像を形成する画像形成装置において、前記入力画像を記憶する第１の記憶部と、形成する画像が承認されたものであることを示すための承認画像を記憶する第２の記憶部と、前記ネットワークを介して前記第１の記憶部に記憶された前記入力画像に対する承認を要求する承認要求部と、前記承認要求部の前記要求に対する応答に基づいて、前記入力画像が承認されたか否かを判定する判定部と、前記入力画像に基づいて画像を形成する画像形成部とを備え、前記画像形成部が、前記判定部により前記入力画像が承認されたと判定されたとき、前記第１の記憶部に記憶された前記入力画像と前記第２の記憶部に記憶された前記承認画像とを合成した画像を生成する。
【発明の効果】
【０００６】
以上、本発明によれば、判定部により入力画像が承認されたと判定されたとき、画像形成部が第１の記憶部に記憶された入力画像と第２の記憶部に記憶された承認画像とを合成した画像を生成するので、印刷依頼した印刷データが承認を必要とした印刷データであるか否かを印刷依頼者が認識することができる。
【発明を実施するための最良の形態】
【０００７】
次に、本発明を実施するための最良の形態を説明する。
【実施例１】
【０００８】
図１は、本発明に係る画像形成装置が用いられている画像形成システムの構成を示すブロック図である。この画像形成システムは、画像形成装置として機能する実施例１のＭＰＦ（Ｍｕｌｔｉ  Ｆａｎｃｔｉｏｎ  Ｐｅｒｉｐｈｅｒａｌ）装置１０と、書類作成者が利用する上位装置としてのＰＣ（パーソナルコンピュータ）２１と、印刷依頼された画像データの印刷許可を承認する権限を有する承認者が、印刷許可を承認するために使用する承認者端末としてのＰＣ２２とを備え、これらは、ネットワーク２０を介して互いに通信接続されている。
【０００９】
図２は、本発明に係る実施例１のＭＰＦ装置の構成を示すブロック図である。ＭＰＦ装置１０は、装置管理部１１０と、記憶部１２０と、承認部１３０と、画像処理部１４０と、読取部１５０と、操作パネル部１６０と、印刷部１７０と、Ｉ／Ｆ部１８０とを備え、これらの各部はバス１０１を介して互いに接続されている。
【００１０】
装置管理部１１０は、他の各部の動作や状況を統括管理する。例えば、装置管理部１１０は、承認部１３０に対して承認すべき後述する第１画像データの有無の判定要求を出力する。また、装置管理部１１０は、後述する合成画像データが生成した旨の通知を画像合成部１４１から入力されると、印刷部１７０に対して記憶部１２０のワーク領域に記憶されている後述する合成画像の印刷要求を印刷部１７０に出力する。また、装置管理部１１０は、記憶部１２０の第１画像データ記憶部１２１の後述する特定領域から、合成画像を生成するときに読み出された入力画像の第１画像データを消去するとともに、ワーク領域に記憶されている合成画像の合成画像データを消去する。
【００１１】
記憶部１２０は、装置内の様々な情報を保存するメモリブロックとして、第１画像データ記憶部１２１、第２画像データ記憶部１２２、メールアドレス情報記憶部１２３、及び、合成条件記憶部１２４を備える。
【００１２】
第１画像データ記憶部１２１は、複数の階層構造を有するフォルダ及び書類名が記述されたファイル名からなる特定領域を有し、読取部１５０が読み取った入力画像の画像データ、又は、上位装置としてのＰＣ２１から受信した入力画像の画像データからなる承認対象の原本書類となる画像データ（以下、第１画像データという）を特定領域に記憶する。なお、特定領域は、画像データの特性すなわち、書類名、書類の管理部等により指定される。
【００１３】
第１画像データ記憶部１２１に記憶されている入力画像の第１画像データについての印刷許可がおりた場合に、第２画像データ記憶部１２２は、入力画像が印刷された際に印刷依頼者に印刷許可の承認を得られたことを認識させるための承認画像の画像データ（以下、第２画像データという）を記憶する。ここで、承認画像には、承認者の印影画像（図４参照）からなる画像データが使用される。なお、これ以外として承認者の署名画像を使用してもよい。
【００１４】
メールアドレス情報記憶部１２３は、承認者端末としてのＰＣ２２に割り当てられたメールアドレス、及び、自装置に割り当てられたメールアドレスを記憶する。
【００１５】
合成条件記憶部１２４は、第１画像データ記憶部１２１に記憶されている第１画像データからなる入力画像と第２画像データ記憶部１２２に記憶されている第２画像データからなる承認画像を合成するための合成条件を記憶する。この実施例１の場合の合成条件は、入力画像の下左端を（０、０）座標位置とし、また承認画像の下左端を（０、０）座標位置とした場合、入力画像の下左端の（０、０）座標位置を有する第１画像データと、承認画像の下左端の（０、０）座標位置を有する第２画像データとを合わせるという条件である。
【００１６】
承認部１３０は、画像判定部１３１、承認要求部１３２、及び、承認可否判定部１３３を備える。画像判定部１３１は、第１画像データ記憶部１２１の特定領域に格納されている入力画像のファイルの有無を検出することにより、承認待ちの第１画像データの有無を判定する。そして、画像判定部１３１は、第１画像データ記憶部１２１の特定領域に格納されている入力画像のファイルを検出した場合には、承認待ちの第１画像データがあると判定し、承認者に対してこの入力画像の印刷許可の承認を要求する後述する承認要求電子メールの作成要求を承認要求部１３２に出力する。
【００１７】
承認要求部１３２は、前述の作成要求が画像判定部１３１から入力されると、例えば図３（ａ）に示す承認要求電子メール５００を作成し、Ｉ／Ｆ部１８０を介して承認者端末としてのＰＣ２２に送信する。
【００１８】
図３（ａ）に示す承認要求電子メール５００では、電子メールのヘッダーにおいて、タイトル（Ｓｕｂｊｅｃｔ）欄には「承認要求」と記述され、送信元を示すＦｒｏｍ欄には、自装置に割り当てられたメールアドレス「ＭＰＦ０１＠ａｂｃ．ｃｏｍ」が記述され、送信先を示すＴｏ欄には承認者端末としてのＰＣ２２に割り当てられたメールアドレス「ｍａｎａｇｅｒ＠ａｂｃ．ｃｏｍ」が記述され、及び、Ｄａｔｅ欄には、この電子メールを送信した日時「３０  Ｓｅｐ  ２００６  １０：２０」が記述されている。また、承認要求電子メール５００は、電子メールの本文において、「申請書／管理部／Ａ申請書」という名称の特定領域名５０１と、この特定領域名５０１を識別するための識別番号５０２とが、前述の識別番号５０２、前述の特定領域名５０１の順に記述されている。また、「申請書／管理部／Ｂ申請書」という名称の特定領域名５０１と、この特定領域名５０１を識別するための識別番号５０２とが、前述の識別番号５０２、前述の特定領域名５０１の順に記述されている。
【００１９】
承認可否判定部１３３は、承認者端末としてのＰＣ２２に送信した承認要求電子メール５００に対する図３（ｂ）に示す返信電子メール５１０を受信した場合に、この返信電子メール５１０に記述されている情報に基づき、特定領域名に記述されている書類のファイルの印刷許可が承認されたか否かを判定する。
【００２０】
図３（ｂ）に示す返信電子メール５１０では、電子メールのヘッダーにおいて、タイトル（Ｓｕｂｊｅｃｔ）欄には「承認結果」と記述され、送信元を示すＦｒｏｍ欄には、承認者端末としてのＰＣ２２に割り当てられたメールアドレス「ｍａｎａｇｅｒ＠ａｂｃ．ｃｏｍ」が記述され、送信先を示すＴｏ欄にはＭＰＦ装置１０に割り当てられたメールアドレス「ＭＰＦ０１＠ａｂｃ．ｃｏｍ」が記述され、及び、Ｄａｔｅ欄には、この電子メールを送信した日時「３０  Ｓｅｐ  ２００６  １１：３３」が記述されている。また、返信電子メール５１０は、電子メールの本文において、「申請書／管理部／Ａ申請書」という名称の特定領域名５１１と、承認者が印刷を許可することを示す「可」という承認結果情報５１２と、承認結果情報５１２を指定するための識別文字「＞」５１３とが、前述の特定領域名５１１、前述の識別文字５１３、前述の承認結果情報５１２の順に記述された承認判断情報と、この承認判断情報を識別するための識別番号５１４が承認判断情報の前に記述されている。また、「申請書／管理部／Ｂ申請書」という名称の特定領域名５１１と、承認者が印刷を不許可とする「否」という承認結果情報５１２と、承認結果情報を指定するための識別文字「＞」５１３とが、前述の特定領域名５１１、前述の識別文字５１３、前述の承認結果情報５１２の順に記述された承認判断情報と、この承認判断情報を識別するための識別番号５１４が承認判断情報の前に記述されている。
【００２１】
画像処理部１４０は、画像合成部１４１を備えている。この画像合成部１４１は、合成条件記憶部１２４から合成条件を読み出したのち、第１画像データ記憶部１２１に記憶されている入力画像の第１画像データと、第２画像データ記憶部１２２に記憶されている承認画像の第２画像データを読み出し、合成条件に基づき入力画像と承認画像を合成した合成画像からなる合成画像データを生成し、この合成画像データを記憶部１２０のワーク領域（図示せず）に記憶させる。
【００２２】
例えば、図４に示すように、第１画像データ記憶部１２１から読み出された第１画像データが符号Ａに示されたＡ申請書の入力画像の画像データとし、また、第２画像データ記憶部１２２から読み出された第２画像データが符号Ｂに示された第２画像データである場合、画像合成部１４１は、最終的に、Ａ申請書の入力画像の下左端の（０、０）座標位置を有する第１画像データと、承認画像の下左端の（０、０）座標位置を有する第２画像データとが合うように、第２画像データを第１画像データに上書きすることで双方の画像を合成してＡ申請書の入力画像に印影「田中」が記述された符号Ｃに示されたＡ申請書を示す合成画像を生成する。なお、第２画像データに上書きされた第１画像データには、記載事項がない空のデータである。
【００２３】
読取部１５０は、ＬＥＤやＣＣＤなどの読取センサを利用したスキャナー装置であり、原稿を読み取って電気信号に変換したのちイメージデータからなる入力画像の第１画像データを生成し、この第１画像データを記憶部１２０の第１画像データ記憶部１２１に書き込む。
【００２４】
操作パネル部１６０は、設定や動作モード等の命令を自装置に入力するためのタッチパネルやキーボードなどの入力デバイスからなる操作部１６１と、印刷依頼者に指示や自装置のステータス情報を表示する表示部１６２とを備える。
【００２５】
印刷部１７０は、装置管理部１１０の指示に従い、記憶部１２０のワーク領域に記憶されている前述の合成画像の合成画像データを順次読み出し、合成画像を記録紙上に印刷する。Ｉ／Ｆ部１８０は、上位装置としてのＰＣ２１及び承認者端末としてのＰＣ２２との間でネットワーク２０を介して入力画像としての第１画像データ、電子メール（例えば、承認要求電子メール、返信電子メール）等を送受信するインターフェースである。
【００２６】
次に、本発明に係る実施例１の画像形成装置の動作を説明する。
【００２７】
図５は、本発明に係る実施例１の画像形成装置の動作を示すフローチャートである。まず、実施例１の画像形成装置として機能するＭＰＦ装置１０は、印刷するための入力画像の第１画像データが入力される（ステップＳ１）。ここで、第１画像データが入力される方法には、画像データ受信方法及び画像データ読取り方法がある。
【００２８】
画像データ受信方法は、上位装置としてのＰＣ２２からネットワーク２０を介して、第１画像データ記憶部１２１の特定領域に格納要求を示すコマンドが付加され、かつ、印刷するための第１画像データが記述された画像ファイルを受信する方法である。画像データ読み取り方法は、読み取られた書類の第１画像データを第１画像データ記憶部１２１の特定領域に格納要求することを示す指示が操作パネル部１６０の操作部１６１から入力されたのち、読取部１５０により書類の第１画像データが読み取られる方法である。
【００２９】
Ｉ／Ｆ部１８０を介してＰＣ２２から受信した受信ファイルに記述されている第１画像データ又は読取部１５０により読み取られた書類の第１画像データが入力されると、この第１画像データは、記憶部１２０の第１画像データ記憶部１２１の特定領域に格納される（ステップＳ２）。
【００３０】
例えば、画像データ受信方法で、かつ、受信した書類の入力画像の第１画像データの記憶箇所が特定領域「申請書／管理部／Ａ申請書」の場合には、装置管理部１１０は、特定領域「申請書／管理部／Ａ申請書」に、このファイルに記述されている第１画像データを格納する。一方、画像データ読み取り方法で、かつ、操作パネル部１６０の操作部１６１から入力された前述の特定領域が「申請書／管理部／Ｂ申請書」の場合には、特定領域「申請書／管理部／Ｂ申請書」に、読取部１５０から入力された原稿の第１画像データを格納する。
【００３１】
その後、装置管理部１１０は、承認部１３０に対して承認すべき第１画像データの有無の確認要求を出力する。
【００３２】
承認部１３０が装置管理部１１０から前述の確認要求が入力されると、画像判定部１３１は、第１画像データ記憶部１２１の特定領域に第１画像データが記述されたファイルの有無を検出することにより、承認待ちの第１画像データの有無を確認する（ステップＳ３）。
【００３３】
前述の例では、特定領域「申請書／管理部／Ａ申請書」にＡ申請書という名称のファイルがあり、また、特定領域が「申請書／管理部／Ｂ申請書」にＢ申請書という名称のアイルがあるので、画像判定部１３１は、承認待ちの第１画像データが有ると確認する。
【００３４】
画像判定部１３１は、承認待ちの第１画像データがあると確認すると、承認待ちの第１画像データが記憶されている特定領域名を承認要求部１３２に出力する。
【００３５】
前述の例では、特定領域の名称として特定領域「申請書／管理部／Ａ申請書」及び特定領域「申請書／管理部／Ｂ申請書」が承認要求部１３２に出力される。
【００３６】
承認要求部１３２は、特定領域名が画像判定部１３１から入力されると、記憶部１２０のメールアドレス情報記憶部１２３から承認者端末としてのＰＣ２２に割り当てられたメールアドレス、及び、自装置に割り当てられたメールアドレスを読み出し、図３（ａ）に示す承認要求電子メール５００を作成し、Ｉ／Ｆ部１８０を介して承認者端末としてのＰＣ２２に送信する（ステップＳ４）。
【００３７】
その後、承認可否判定部１３３は、承認者端末としてのＰＣ２２に送信した承認要求電子メール５００に対する図３（ｂ）に示す返信電子メール５１０をＰＣ２２からＩ／Ｆ部１８０を介して受信した場合に、返信電子メール５１０に記述されている承認判断情報のうち未だ抽出されていない承認判断情報があるか否かを判定する（ステップＳ５）。
【００３８】
承認可否判定部１３３は、未だ抽出されていない承認判断情報が返信電子メール５１０にないと判定した場合には（ステップＳ５；ＮＯ）、処理を終了させる。一方、承認可否判定部１３３は、未だ抽出されていない承認判断情報が返信電子メール５１０にあると判定した場合には（ステップＳ５；ＹＥＳ）、未だ抽出されていない承認判断情報を返信電子メール５１０から抽出する（ステップＳ６）。次に、承認可否判定部１３３は、抽出した承認判断情報に記述されている承認結果情報が「可」であるか又は「否」であるかを判定する（ステップＳ７）
【００３９】
承認可否判定部１３３は、抽出した承認判断情報に記述されている承認結果情報が「否」であると判定した場合には（ステップＳ７；「否」）、ステップＳ５に処理を移行させる。一方、承認可否判定部１３３は、抽出した承認判断情報に記述されている承認結果情報が「可」であると判定した場合には（ステップＳ７；「可」）、抽出した承認判断情報を画像処理部１４０に出力する。
【００４０】
前述の例では、承認可否判定部１３３は、「申請書／管理部／Ｂ申請書＞否」という承認判定情報を抽出した場合には、承認結果情報を「否」であると判定し、ステップＳ５に処理を移行させ、また、「申請書／管理部／Ａ申請書＞可」という承認判定情報を抽出した場合には、承認判定情報「申請書／管理部／Ａ申請書＞可」を画像処理部１４０に出力する。
【００４１】
画像処理部１４０に承認判断情報が承認可否判定部１３３から入力されると、画像合成部１４１は、合成条件記憶部１２４から合成条件を読み出したのち、第１画像データ記憶部１２１に記憶されている第１画像データと、第２画像データ記憶部１２２に記憶されている第２画像データとを読み出し、合成条件に基づき第１画像データと第２画像データを合成して合成画像データを生成し（ステップＳ８）、この生成した合成画像データを記憶部１２０のワーク領域（図示せず）に書き込む。その後、画像合成部１４１は、合成画像データが生成した旨の通知を装置管理部１１０に出力する。
【００４２】
前述の例では、「Ａ０１：申請書／管理部／Ａ申請書＞可」という承認判定情報が画像処理部１４０に入力されると、画像合成部１４１は、第１画像データ記憶部１２１の特定領域「申請書／管理部／Ａ申請書」のＡ申請書ファイルからＡ申請書ファイルの第１画像データと、第２画像データ記憶部１２２に記憶されている第２画像データとを読み出し、図４に示すように、最終的に、Ａ申請書の入力画像の下左端の（０、０）座標位置を有する第１画像データと、承認画像の下左端の（０、０）座標位置を有する第２画像データとが合致するように、第２画像データを第１画像データに上書きすることで双方の画像を合成してＡ申請書の入力画像に承認画像としての印影「田中」が記述された符号Ｃに示されたＡ申請書を示す合成画像を生成する。
【００４３】
装置管理部１１０は、前述の通知が画像合成部１４１から入力されると、印刷部１７０に対して記憶部１２０のワーク領域に記憶されている合成画像の印刷要求を印刷部１７０に出力する。
【００４４】
印刷部１７０は、前述の印刷要求が装置管理部１１０から入力されると、記憶部１２０のワーク領域に記憶されている合成画像データを順次読み出し、合成画像を印刷する（ステップＳ９）。印刷部１７０は、合成画像の印刷を終了すると、印刷が終了した旨の通知を装置管理部１１０に出力する。
【００４５】
その後、装置管理部１１０は、記憶部１２０の第１画像データ記憶部１２１の特定領域から、先に合成画像を生成するときに読み出された第１画像データを消去するとともに、ワーク領域に記憶されている合成画像データを消去し（ステップＳ１０）、ステップＳ５に処理を移行し、上述したと同様な処理を続行させる。
【００４６】
実施例１によれば、返信電子メール５１０を参照し、入力画像の第１画像データの印刷を許可するものと、承認可否判定部１３３により判定された場合には、印刷部１７０が、入力画像の第１画像データと、承認画像の第２画像データとが画像合成部１４１により合成された合成画像を印刷するので、印刷依頼した入力画像が承認を必要とするものであるか否かを印刷依頼者に認識させることができる。このため、印刷依頼者は、印刷依頼した入力画像の印刷物についての取り扱い方を判断することができる。
【実施例２】
【００４７】
本発明に係る実施例２の画像形成装置は、画像形成装置としての機能を有するＭＰＦ装置１０であって、実施例１と同様な画像形成システムにおいて使用され、実施例１のＭＰＦ装置１０の構成部分と同一な装置管理部１１０、読取部１５０、操作パネル部１６０、印刷部１７０、及び、Ｉ／Ｆ部１８０を備え、更に、実施例１の画像形成装置の構成部分である記憶部１２０、承認部１３０及び画像処理部１４０と同一でない記憶部２２０、承認部２３０及び画像処理部２４０を備える。ここで、実施例１のものと同一な装置管理部１１０、読取部１５０、操作パネル部１６０、印刷部１７０、及び、Ｉ／Ｆ部１８０のついての説明を省略する。
【００４８】
記憶部２２０は、図６に示すように、第１画像データ記憶部１２１、第２画像データ記憶部１２２、メールアドレス情報記憶部１２３、合成条件記憶部１２４、及び、承認画像選択リスト２２１を備える。ここで、第１画像データ記憶部１２１、第２画像データ記憶部１２２、メールアドレス情報記憶部１２３、及び、合成条件記憶部１２４は、実施例１のものと同一であり、これらのものの説明を省略する。
【００４９】
承認画像選択リスト２２１は、図７に示すように、承認画像指定情報と、この承認画像指定情報に対応する承認画像を識別するための承認画像ＩＤとが記述されている。ここで、承認画像指定情報が「なし」の場合には、実施例１の画像形成装置において説明した承認画像が示されている。 
【００５０】
承認部２３０は、図８に示すように、画像判定部１３１と、承認要求部１３２と、承認可否判定部１３３と、承認画像判定部２３１とを備える。ここで、画像判定部１３１、承認要求部１３２、及び、承認可否判定部１３３は、実施例１のものと同一であり、これらのものの説明を省略する。
【００５１】
承認画像判定部２３１は、承認可否判定部１３３により、第１画像データ記憶部に記憶されている入力画像について、印刷許可が「可」であると判定された場合には、第２画像データ記憶部１２２に記憶されている承認画像の第２画像データと中から、ＰＣ２２から返信されてきた後述する返信電子メールに記述されている承認画像指定情報に指定された承認画像を決定する。
【００５２】
図９に示すように、承認者端末としてのＰＣ２２から受信した返信電子メール６００は、電子メールのヘッダーにおいて、タイトル（Ｓｕｂｊｅｃｔ）欄には「承認結果」と記述され、送信元を示すＦｒｏｍ欄には、承認者端末としてのＰＣ２２に割り当てられたメールアドレス「ｍａｎａｇｅｒ＠ａｂｃ．ｃｏｍ」が記述され、送信先を示すＴｏ欄にはＭＰＦ装置１０に割り当てられたメールアドレス「ＭＰＦ０１＠ａｂｃ．ｃｏｍ」が記述され、及び、Ｄａｔｅ欄には、この電子メールを送信した日時「３０  Ｓｅｐ  ２００６  １１：３３」が記述されている。また、返信電子メール６００は、電子メールの本文において、「申請書／管理部／Ａ申請書」という名称の特定領域名６１１と、承認者が印刷を許可することを示す「可」という承認結果情報６１２と、承認結果情報を指定するための識別文字「＞」６１３と、前述の承認画像指定情報「Ａ」６１４と、承認画像指定情報の箇所を指定するための識別文字「＋」６１５とが、前述の特定領域名６１１、前述の識別文字６１３、前述の承認結果情報６１２、前述の識別文字６１５、前述の承認画像指定情報６１４の順に記述された承認判断情報と、この承認判断情報を識別するための識別番号６１６が承認判断情報の前に記述されている。また、「申請書／管理部／Ｂ申請書」という名称の特定領域名６１１と、承認者が印刷を許可することを示す「否」という承認結果情報６１２と、承認結果情報を指定するための識別文字「＞」６１３とが、前述の特定領域名６１１、前述の識別文字６１３、前述の承認結果情報６１２の順に記述された承認判断情報と、この承認判断情報を識別するための識別番号６１６が承認判断情報の前に記述されている。なお、「申請書／管理部／Ｂ申請書」という名称の特定領域名６１１が記述された承認判断情報には、入力画像と承認画像とを合成する必要がないので、前述の承認画像指定情報６１４、及び、前述の識別文字６１５が記述されていない。
【００５３】
画像処理部２４０は、図１０に示すように、画像合成部１４１と、縮小画像生成部２４１とを備える。ここで、画像合成部１４１は、実施例１のものと同一であり、これの説明を省略する。
【００５４】
縮小画像生成部２４１は、未承認の入力画像の印刷許可の承認を承認者が行うことが可能なサイズに縮小したサムネイル画像を生成し、このサムネイル画像を記憶部２２０のワーク領域に記憶させるとともに、サムネイル画像を生成した旨の通知を装置管理部１１０に出力する。
【００５５】
次に、本発明に係る実施例２の画像形成装置の動作を説明する。
【００５６】
図１１は、本発明に係る実施例２の画像形成装置の動作を示すフローチャートである。ステップＳ１１における入力画像の第１画像データを入力する処理から、ステップＳ１２における、入力された第１画像データを第１画像データ記憶部１２１の特定領域に記憶させるまでの処理は、実施例１のＭＰＦ装置１０が実行するステップＳ１及びステップＳ２の処理と同一である。
【００５７】
ステップＳ１２において、第１画像データが第１画像データ記憶部１２１の特定領域に記憶させると、装置管理部１１０は、第１画像データ記憶部１２１に記憶されている第１画像データについての入力画像についてのサムネイル画像の生成要求を画像処理部２４０に出力する。
【００５８】
画像処理部２４０が前述の生成要求が装置管理部１１０から入力されると、縮小画像生成部２４１は、第１画像データ記憶部１２１から第１画像データを順次読み出し、読み出した第１画像データから予め決められた縮小率に従ったサムネイル画像を生成する（ステップＳ１３）。その後、縮小画像生成部２４１は、このサムネイル画像を生成した旨の通知を装置管理部１１０に出力する。
【００５９】
装置管理部１１０は、前述の通知を縮小画像生成部２４１から入力されると、承認部２３０に対して承認すべき第１画像データの有無の確認要求を出力する。
【００６０】
承認部２３０が装置管理部１１０から前述の確認要求が入力されると、画像判定部１３１は、第１画像データ記憶部１２１の特定領域に第１画像データが記述されたファイルの有無を検出することにより、承認待ちの第１画像データの有無を確認する（ステップＳ１４）。
【００６１】
画像判定部１３１は、承認待ちの第１画像データがあると確認すると、承認待ちの第１画像データが記憶されている特定領域名を承認要求部１３２に出力する。
【００６２】
承認要求部１３２は、特定領域名が画像判定部１３１から入力されると、記憶部２２０のメールアドレス情報記憶部１２３から承認者端末としてのＰＣ２２に割り当てられたメールアドレス「ｍａｎａｇｅｒ＠ａｂｃ．ｃｏｍ」、及び、自装置に割り当てられたメールアドレス「ＭＦＰ０１＠ａｂｃ．ｃｏｍ」を読み出し、実施例１の画像形成装置が生成したと同一な図３（ａ）に示す承認要求電子メール５００を作成する。その後、承認要求部１３２は、記憶部２２０のワーク領域に記憶されているサムネイル画像を読み出し、この読み出したサムネイル画像を承認要求電子メールに添付したのち、ネットワーク２０を介して承認者端末としてのＰＣ２２に送信する（ステップＳ１５）。
【００６３】
その後、承認要求電子メールに対する返信メールがＰＣ２２から送信されてきたのち、ステップＳ１６における返信メールに記述されている承認判断情報の有無の判断処理から、ステップＳ１８における承認結果情報が「可」である又は「否」であるかの判断処理は、実施例１のＭＰＦ装置１０が実行するステップ５からステップＳ７における処理と同一である。
【００６４】
ステップＳ１８において、承認可否判定部１３３が、承認判断情報に記述されている承認結果情報が「可」であると判定した場合には（ステップＳ１８；「可」）、その旨の通知を承認画像判定部２３１に出力する。
【００６５】
承認画像判定部２３１は、前述の通知が承認可否判定部１３３から入力されると、前述の承認判断情報に承認画像指定情報が記述されているか否かを判定する（ステップＳ１９）。承認画像判定部２３１は、承認判断情報に承認画像指定情報が記述されていると判定した場合には（ステップＳ１９；ＹＥＳ）、承認判断情報から承認画像指定情報を抽出する。次に、承認画像判定部２３１は、抽出した承認画像指定情報を画像処理部１４０に出力する。
【００６６】
例えば、図９に示す「申請書／管理部／Ａ申請書＞＋Ａ」という承認判断情報について、「可」である旨の通知を入力されると、承認画像判定部２３１は、承認判断情報から承認画像指定情報「Ａ」を抽出し、この承認画像指定情報「Ａ」を画像処理部１４０に出力する。
【００６７】
承認画像指定情報が承認画像判定部２３１から入力されると、画像合成部１４１は、合成条件記憶部１２４から合成条件を読み出すとともに、入力された承認画像指定情報に対応する承認画像ＩＤを承認画像選択リスト２２１から読み出す。次に、画像合成部１４１は、第１画像データ記憶部１２１に記憶されている第１画像データを読み出すとともに、先に読み出した承認画像ＩＤに対応する承認画像ＩＤに示された第２画像データを第２画像データ記憶部１２２から読み出す。その後、画像合成部１４１は、読み出した合成条件に基づき第１画像データと第２画像データを合成して合成画像データを生成し（ステップＳ２０）、この生成した合成画像データを記憶部２２０のワーク領域（図示せず）に書き込む。その後、画像合成部１４１は、合成画像データが生成した旨の通知を装置管理部１１０に出力し、ステップＳ２２に処理を移行させる。
【００６８】
前述の例では、承認画像指定情報が「Ａ」であるので、承認画像ＩＤが「Ｄ００２」に対応する、印影「清水」からなる承認画像の第２画像データが第２画像データ１２２から読み出され、先に読み出された合成条件に基づき、この第２画像データが第１画像データ記憶部１２１に記憶され入力画像の第１画像データに上書きして、入力画像と承認画像とが合成される。
【００６９】
ステップＳ１９において、承認画像判定部２３１は、承認判断情報に承認画像指定情報が記述されていないと判定した場合には（ステップＳ１９；ＮＯ）、承認画像指定情報に指定されない承認画像を入力画像に合成させる要求を画像処理部１４０に出力する。
【００７０】
画像処理部１４０に前述の要求が承認可否判定部１３３から入力されると、画像合成部１４１は、合成条件記憶部１２４から合成条件を読み出したのち、第１画像データ記憶部１２１に記憶されている第１画像データと、第２画像データ記憶部１２２に記憶されている第２画像データとを読み出し、合成条件に基づき第１画像データと第２画像データを合成して合成画像データを生成し（ステップＳ２１）、この生成した合成画像データを記憶部１２０のワーク領域（図示せず）に書き込む。その後、画像合成部１４１は、合成画像データが生成した旨の通知を装置管理部１１０に出力する。
【００７１】
その後、ステップＳ２２における合成画像を印刷部１７０が印刷する処理、及び、ステップＳ２３における装置管理部１１０が第１画像データ及び合成画像データを消去する処理は、実施例１のＭＰＦ装置１０が実行するステップＳ９及びステップＳ１０の処理と同様な処理を行う。
【００７２】
実施例２によれば、承認要求部１３２が、縮小画像生成部２４１により生成された入力画像を縮小したサムネイル画像を承認要求電子メールに添付して、承認者端末としてのＰＣ２２に送信するので、承認者は、承認すべき書類の内容を事前に確認することができ、印刷許可の承認について、誤承認の発生を防止することができる。
【００７３】
また、実施例２によれば、承認画像判定部２３１が返信メールに記述されている承認画像指定情報に基づき、第２画像データ記憶部１２２に記憶されている承認画像を決定するので、書類に合わせて承認画像を指定することができ、不適切な承認画像を伴った書類を印刷することを防止することができる。
【実施例３】
【００７４】
本発明に係る実施例３の画像形成装置は、画像形成装置としての機能を有するＭＰＦ装置１０であって、実施例２と同様な画像形成システムにおいて使用され、実施例２のＭＰＦ装置１０の構成部分と同一な装置管理部１１０、記憶部２２０、画像処理部２４０、読取部１５０、操作パネル部１６０、印刷部１７０、及び、Ｉ／Ｆ部１８０を備え、更に、実施例２のＭＰＦ装置１０の構成部分である承認部２３０と同一でない承認部３３０を備える。ここで、実施例２のものと同一な装置管理部１１０、記憶部２２０、画像処理部２４０、読取部１５０、操作パネル部１６０、印刷部１７０、及び、Ｉ／Ｆ部１８０についての説明を省略する。
【００７５】
承認部３３０は、図１２に示すように、画像判定部１３１と、承認要求部１３２と、承認可否判定部１３３と、承認画像判定部２３１と、承認画像抽出部３３１とを備える。ここで、画像判定部１３１、承認要求部１３２、承認可否判定部１３３、及び、承認画像判定部２３１は、実施例２のものと同一であり、これらのものの説明を省略する。
【００７６】
承認画像抽出部３３１は、承認可否判定部１３３により、第１画像データ記憶部に記憶されている入力画像の第１画像データについての印刷許可が「可」であると判定された場合には、承認者端末としてのＰＣ２２から返信されてきた後述する返信電子メールに添付されている添付承認画像を抽出する。そして、承認画像抽出部３３１は、抽出した添付承認画像を添付画像データとして記憶部２２０のワーク領域に記憶させる。
【００７７】
図１３に示すように、承認者端末としてのＰＣ２２から受信した返信電子メール７００は、電子メールのヘッダーにおいて、タイトル（Ｓｕｂｊｅｃｔ）欄には「承認結果」と記述され、送信元を示すＦｒｏｍ欄には、承認者端末としてのＰＣ２２に割り当てられたメールアドレス「ｍａｎａｇｅｒ＠ａｂｃ．ｃｏｍ」が記述され、送信先を示すＴｏ欄にはＭＰＦ装置１０に割り当てられたメールアドレス「ＭＰＦ０１＠ａｂｃ．ｃｏｍ」が記述され、及び、Ｄａｔｅ欄には、この電子メールを送信した日時「３０  Ｓｅｐ  ２００６  １１：３３」が記述されている。
【００７８】
また、返信電子メール７００は、電子メールの本文において、「申請書／管理部／Ａ申請書」という名称の特定領域名７１１と、承認者が印刷を許可することを示す「可」という承認結果情報７１２と、承認結果情報を指定するための識別文字「＞」７１３と、承認画像指定情報の箇所を指定するための識別文字「＋」７１４とが、前述の特定領域名７１１、前述の識別文字７１３、前述の承認結果情報７１２、前述の識別文字７１４の順に記述された承認判断情報と、この承認判断情報を識別するための識別番号７１５が承認判断情報の前に記述されている。また、「申請書／管理部／Ｂ申請書」という名称の特定領域名７１１と、承認者が印刷を許可することを示す「否」という承認結果情報７１２と、承認結果情報を指定するための識別文字「＞」７１３とが、前述の特定領域名７１１、前述の識別文字７１３、前述の承認結果情報７１２の順に記述された承認判断情報と、この承認判断情報を識別するための識別番号７１５が承認判断情報の前に記述されている。なお、「申請書／管理部／Ｂ申請書」という名称の特定領域名７１１が記述された承認判断情報には、入力画像と承認画像とを合成する必要がないので、前述の識別文字７１４が記述されていない。
【００７９】
また、返信電子メール７００は、電子メールの本文において、第１画像データ記憶部１２１に記憶されている第１画像データの入力画像を承認するためのイメージデータからなる添付承認画像７１６が添付されている。
【００８０】
次に、本発明に係る実施例３の画像形成装置の動作を説明する。
【００８１】
図１４は、本発明に係る実施例２の画像形成装置の動作を示すフローチャートである。ステップＳ３１における入力画像の第１画像データの入力する処理から、ステップＳ４０における入力画像と承認画像指定情報に指定された承認画像とを合成する処理までは、実施例２の画像形成装置が実行するステップＳ１１からステップＳ２０の処理と同一である。
【００８２】
ステップＳ３９において、承認画像判定部２３１は、承認判断情報に承認画像指定情報が記述されていないと判定した場合には（ステップＳ３９；ＮＯ）、返信電子メールに添付承認画像が添付されているか否かを判定する（ステップＳ４１）。承認画像判定部２３１は、添付承認画像が添付されていないと判定した場合には（ステップＳ４１；ＮＯ）、承認判断情報を画像処理部１４０に出力する。
【００８３】
画像処理部１４０に承認判断情報が承認可否判定部１３３から入力されると、画像合成部１４１は、合成条件記憶部１２４から合成条件を読み出したのち、第１画像データ記憶部１２１に記憶されている第１画像データと、第２画像データ記憶部１２２に記憶されている第２画像データとを読み出し、合成条件に基づき第１画像データと第２画像データを合成して合成画像データを生成し（ステップＳ４２）、この生成した合成画像データを記憶部２２０のワーク領域に書き込む。その後、画像合成部１４１は、合成画像データが生成した旨の通知を装置管理部１１０に出力し、ステップＳ４５に処理を移行させる。
【００８４】
ステップＳ４１において、承認画像判定部２３１が返信電子メールに添付承認画像が添付されていると判定した場合には（ステップＳ４１；ＹＥＳ）、承認画像抽出部３３１は、この添付承認画像を抽出し、この添付承認承認画像の画像データを記憶部２２０のワーク領域に記憶する（ステップＳ４３）。次に、承認画像抽出部３３１は、添付承認画像を抽出した旨の通知を装置管理部１１０に出力する。
【００８５】
装置管理部１１０は、承認画像抽出部３３１から前述の通知が入力されると、画像処理部２４０に添付承認画像が記憶部２２０のワーク領域に記憶されている旨の通知を出力する。
【００８６】
その後、画像処理部２４０の画像合成部１４１は、合成条件記憶部１２４から合成条件を読み出したのち、第１画像データ記憶部１２１に記憶されている第１画像データと、記憶部２２０のワーク領域に記憶されている添付承認画像の画像データとを読み出し、合成条件に基づき第１画像データと添付承認画像の画像データを合成して合成画像データを生成し（ステップＳ４４）、この生成した合成画像データを記憶部２２０のワーク領域に書き込む。
【００８７】
その後、実施例２の画像形成装置が行うと同様にして、印刷部１７０は、記憶部２２０のワーク領域に記憶されている合成画像データを印刷する（ステップＳ４５）。その後、装置管理部１１０は、第１画像データ記憶部１２１の入力画像の第１画像データ、並びに、ワーク領域に記憶されている合成画像データ及び添付承認画像データを消去し（ステップＳ４６）、ステップＳ３６に処理を移行させる。
【００８８】
実施例３によれば、承認画像抽出部３３１により、返信電子メールに添付されている添付承認画像が抽出され、画像合成部１４１がこの抽出された添付承認画像を入力画像に合成するので、承認する書類に従って、承認者が任意に承認画像を変更することができる。また、承認後、装置管理部１１０により添付承認画像を記憶部２２０のワーク領域から消去されるので、添付承認画像が他の書類に適用されることを防止することができる。
【実施例４】
【００８９】
本発明に係る実施例４の画像形成装置として機能するＭＰＦ装置１０は、実施例３と同様な画像形成システムにおいて使用され、実施例３のＭＰＦ装置１０の構成部分と同一な装置管理部１１０、読取部１５０、操作パネル部１６０、印刷部１７０、及び、Ｉ／Ｆ部１８０を備え、更に、実施例３のＭＰＦ装置１０の構成部分である記憶部２２０でない記憶部４２０、及び、画像処理部２４０にない画像処理部４４０を備える。ここで、実施例３のものと同一な装置管理部１１０、記憶部２２０、承認部３３０、読取部１５０、操作パネル部１６０、印刷部１７０、及び、Ｉ／Ｆ部１８０についての説明を省略する。
【００９０】
記憶部４２０は、図１５に示すように、第１画像データ記憶部１２１、第２画像データ記憶部１２２、メールアドレス情報記憶部１２３、合成条件記憶部１２４、承認画像選択リスト２２１、及び、基本特殊画像記憶部４２１を備える。ここで、第１画像データ記憶部１２１、第２画像データ記憶部１２２、メールアドレス情報記憶部１２３、合成条件記憶部１２４、及び、承認画像選択リスト２２１は、実施例３のもの同一であり、これらの説明を省略する。
【００９１】
基本特殊画像記憶部４２１は、印刷物を複写したときに複写されない単色画像からなる地紋のような特殊画像を生成するために必要となる複数の基本特殊画像を記憶する。
【００９２】
画像処理部４４０は、図１６に示すように、画像合成部１４１と、特殊画像生成部４４１とを備える。ここで、画像合成部１４１は、実施例３のものと同一であり、これの説明を省略する。特殊画像生成部４４１は、基本特殊画像記憶部４２１から、予め決められた基本特殊画像を読み出し、第１画像データ記憶部１２１に記憶されている入力画像に合成するための特殊画像を形成する。
【００９３】
次に、本発明に係る実施例４の画像形成装置の動作を説明する。
【００９４】
図１７は、本発明に係る実施例４の画像形成装置の動作を示すフローチャートである。ステップＳ５１における入力画像の第１画像データの入力する処理から、ステップＳ６４における入力画像と、承認画像又は添付承認画像と合成する処理は、実施例３の画像形成装置が実行するステップＳ３１からステップＳ４４の処理と同一である。
【００９５】
ステップＳ６４において、画像合成部１４１が、入力画像と承認画像又は添付承認画像とを合成すると、特殊画像生成部４４１は、記憶部４２０の基本特殊画像記憶部４２１から入力画像に合成するための基本特殊画像を読み出し、予め決められた位置に配置された基本特殊画像を生成し、この特殊画像を記憶部４２０のワーク領域に記憶させる。その後、特殊画像生成部４４１は、特殊画像を生成した旨の通知を画像合成部１４１に出力する。
【００９６】
画像合成部１４１は、前述の通知を特殊画像生成部４４１から入力されると、記憶部４２０のワーク領域に記憶されている入力画像と承認画像又は添付承認画像とが合成された合成画像の合成画像データと、ワーク領域に記憶されている特殊画像の画像データを順次読み出し、先に合成された合成画像データに特殊画像の画像データを合成し（ステップＳ６５）、再度、合成した合成画像データを記憶部４２０のワーク領域に記憶する。
【００９７】
その後、実施例３の画像形成装置が行うと同様にして、印刷部１７０は、記憶部２２０のワーク領域に記憶されている合成画像データを印刷する（ステップＳ６６）。その後、装置管理部１１０は、第１画像データ記憶部１２１の入力画像の第１画像データ、並びに、ワーク領域に記憶されている合成画像データ、特殊画像の画像データ、及び、記憶されている場合には添付承認画像データを消去し（ステップＳ６７）、ステップＳ５６に処理を移行させる。
【００９８】
実施例４によれば、画像合成部１４１は、入力画像の印刷を許可するものと承認可否判定部１３３により承認された場合には、第１画像データ記憶部１２１に記憶されている入力画像と、第２画像データ記憶部１２２に記憶されている承認画像とを合成した合成画像を生成し、更に、この生成した合成画像に特殊画像生成部４４１により生成された上述した特殊画像を更に合成するので、この合成された画像が印刷された印刷物を複写したときには、特殊画像が複写されないようになり、第三者による書類の偽造を防止することができる。
【００９９】
実施例４では、印刷物を複写したときに、この印刷物に複写されない、例えば地紋である特殊画像が入力画像に合成されているが、これ以外として、印刷された他の画像を消去しないように印刷物の下地に印刷される画像であってもよい。
【図面の簡単な説明】
【０１００】
【図１】本発明に係る画像形成装置が用いられている画像形成システムの構成を示すブロック図である。
【図２】本発明に係る実施例１の画像形成装置の構成を示すブロック図である。
【図３】（ａ）承認要求電子メールの一例を示す図であり、（ｂ）返信電子メールの一例を示す図である。
【図４】承認後の合成画像データの生成を説明する図である。
【図５】本発明に係る実施例１の画像形成装置の動作を示すフローチャートである。
【図６】本発明に係る実施例２の記憶部の構成を示すブロック図である。
【図７】図６中の承認画像選択リストの一例を示す図である。
【図８】本発明に係る実施例２の承認部の構成を示すブロック図である。
【図９】実施例２の画像形成装置が受信した返信電子メールの一例を示す図である。
【図１０】本発明に係る実施例２の画像処理部の構成を示すブロック図である。
【図１１】本発明に係る実施例２の画像形成装置の動作を示すフローチャートである。
【図１２】本発明に係る実施例３の承認部の構成を示すブロック図である。
【図１３】実施例３の画像形成装置が受信した返信電子メールの一例を示す図である。
【図１４】本発明に係る実施例３の画像形成装置の動作を示すフローチャートである。
【図１５】本発明に係る実施例４の記憶部の構成を示すブロック図である。
【図１６】本発明に係る実施例４の画像処理部の構成を示すブロック図である。
【図１７】本発明に係る実施例４の画像形成装置の動作を示すフローチャートである。
【符号の説明】
【０１０１】
１０  ＭＰＦ装置（画像形成装置）
１０１  バス
１１０  装置管理部
１２０、２２０、３３０、４２０  記憶部
１２１  第１画像データ記憶部
１２２  第２画像データ記憶部
１２３  メールアドレス情報記憶部
１２４  合成条件記憶部
２２１  承認画像選択リスト
４２１  基本特殊画像記憶部
１３０、２３０、３３０  承認部
１３１  画像判定部
１３２  承認要求部
１３３  承認可否判定部
２３１  承認画像判定部
３３１  承認画像抽出部
１４０、２４０、４４０  画像処理部
１４１  画像合成部
２４１  縮小画像生成部
４４１  特殊画像生成部
１５０  読取部
１６０  操作パネル部
１６１  操作部
１６２  表示部
１７０  印刷部
１８０  Ｉ／Ｆ部
２０  ネットワーク
２１  ＰＣ（上位装置）
２２  ＰＣ（承認者端末）
【図１】
2009033319.tif 000003
【図２】
2009033319.tif 000004
【図３】
2009033319.tif 000005
【図４】
2009033319.tif 000006
【図５】
2009033319.tif 000007
【図６】
2009033319.tif 000008
【図７】
2009033319.tif 000009
【図８】
2009033319.tif 000010
【図９】
2009033319.tif 000011
【図１０】
2009033319.tif 000012
【図１１】
2009033319.tif 000013
【図１２】
2009033319.tif 000014
【図１３】
2009033319.tif 000015
【図１４】
2009033319.tif 000016
【図１５】
2009033319.tif 000017
【図１６】
2009033319.tif 000018
【図１７】
2009033319.tif 000019